(57)【特許請求の範囲】
【請求項１】
架空送電線を支持する既設鉄塔を建て替えるための既設鉄塔の建て替え工法であり、
既設鉄塔に仮設部材用の接続プレートを取り付ける接続プレートの取り付け工程と、
当該接続プレートを介して既設鉄塔の外周面に仮設部材を取り付けて、鉄塔の外周面を拡げる鉄塔の塔体外周面拡幅工程と、
既設鉄塔が支持している架渉線（架空送電線・架空地線）を仮設部材側に移設する架渉線（架空送電線・架空地線）の移設工程と、  
仮設部材の上方に存在している既設鉄塔の構成部材を撤去する既設部材の撤去工程と、
既設鉄塔の外周面に取り付けた仮設部材の内部に存在している既設鉄塔の構成部材の一部を撤去して、仮設部材内の空間を拡げる鉄塔の塔体内空間拡幅工程と、
拡幅した鉄塔の塔体内空間において、新設鉄塔を組み上げる新設鉄塔の組み上げ工程と、
仮設部材が支持している架渉線（架空送電線・架空地線）を新設鉄塔に移設する架渉線（架空送電線・架空地線）の再移設工程と、から成ることを特徴とする、既設鉄塔の建て替え工法。
【請求項２】
既設部材の撤去工程を、塔体内空間に新設鉄塔を組み上げる際に、既設鉄塔の構成部材が干渉して障害となる範囲のうち、仮設部材の上方に実施する請求項１に記載の既設鉄塔の建て替え工法。
【請求項３】
鉄塔の塔体外周面拡幅工程と鉄塔の塔体内空間拡幅工程を、塔体内空間に新設鉄塔を組み上げる際に、既設鉄塔の構成部材が干渉して障害となる範囲のうち、架渉線移設最上位置より下方に実施する請求項１に記載の既設鉄塔の建て替え工法。
【請求項４】
鉄塔の塔体外周面拡幅工程と鉄塔の塔体内空間拡幅工程を、塔体内空間に新設鉄塔を組み上げる際に既設鉄塔の構成部材が干渉して障害となる範囲のうち、架渉線移設最上位置より下方において、上段の位置、中段の位置、下段の位置に実施する請求項３に記載の既設鉄塔の建て替え工法。
【請求項５】
新設鉄塔を組み上げる新設鉄塔の組み上げ工程は、起重機等を使用して複数の単柱ユニットを吊り上げ、拡幅した鉄塔の塔体内空間に、単柱ユニットを順次積み重ねて行く請求項１に記載の既設鉄塔の建て替え工法。
【発明の詳細な説明】
【技術分野】
【０００１】
本発明は、既設鉄塔の塔体内空間に新設鉄塔を組み上げる際に、既設鉄塔の構成部材が干渉して障害となる範囲（上側）の構成部材を撤去すると共に、障害となる範囲（下側）において塔体内空間を拡幅することにより、この拡幅した既設鉄塔の塔体内空間に新設鉄塔を組み上げて、新たな鉄塔用地買い増しが困難である市街地等の狭隘地において、充分な高さを備えた新設鉄塔を建設することのできる、既設鉄塔の建て替え工法に関するものである。
【背景技術】
【０００２】
既設鉄塔は、例えば、鉄塔間に架空送電線を支持するものであるが、その建設の当初においては、周辺の種々の状況に応じて、架空送電線を好ましい状態で支持できる充分な高さを備えている。
【０００３】
しかし、既設鉄塔の周辺状況は、月日の経過により変化することが多い。例えば、市街地等においては、近年、高層建築物が増加している。その結果、既設鉄塔間に支持されている架空送電線の高さが不足するという問題が発生することがあり、この問題を解消するには、鉄塔を上に伸ばして充分な高さを確保する既設鉄塔の建て替え工事が必要となる。
【０００４】
また、近年の電力需要の増加に応じて、架空送電線の容量を増加しなければならない場合があるが、この架空送電線の増容量化にも、既設鉄塔の建て替え工事が必要となる。
【０００５】
この様な既設鉄塔の建て替え工事として、従来より実施されている工事手法として、例えば、鉄塔の撤去工法が存在する。この鉄塔の撤去工法は、既設鉄塔を撤去した後に、新設鉄塔を建設するものである。
【０００６】
また、他の工事手法として、鉄塔の包込工法が存在する。この鉄塔の包込工法は、既設鉄塔の基礎の外側に、新設鉄塔の基礎を建設するものである。
【０００７】
さらに、他の工事手法として、例えば、鉄塔の嵩上げ工法がある。この鉄塔の嵩上げ工法は、既設鉄塔を油圧リフトによって持ち上げ、下部に新しい部材を組み付けることにより鉄塔を嵩上げするものである。
【０００８】
この他にも、特許文献１に示すように、既設鉄塔に対して、平面視で４５度回転させて新設鉄塔を建設する技術が開示されている。
【０００９】
また、特許文献２に示すように、鉄塔の下端部構造以外の新設鉄塔本体を、既設鉄塔と平面視で同方向に配置し、新設鉄塔の基礎を、既設鉄塔の基礎に対して平面視で４５度回転させた位置に配置する技術も開示されている。
【先行技術文献】
【特許文献】
【００１０】
【特許文献１】特開平９−１３７６３３号公報
【特許文献２】特開平１１−１１７５７５号公報
【発明の概要】
【発明が解決しようとする課題】
【００１１】
しかしながら、上記した従来の工事手法の一つである鉄塔の撤去工法は、停止期間が長くなることから、仮送電線を支持する仮設鉄塔を設置する必要が多くなる等の弊害が生じる。
【００１２】
また、鉄塔の包込工法は、既設鉄塔の基礎の外側に、新設鉄塔の基礎を建設することから、既設鉄塔の用地の外側において、新設鉄塔用に新たな用地を買い増す必要がある。
【００１３】
その為、新たな鉄塔用地買い増しが困難で、仮設鉄塔を設置するスペースも確保できない市街地等の狭隘地においては、いずれの手法も採用することが困難である。
【００１４】
また、特許文献１に示す、既設鉄塔に対して、平面視で４５度回転させて新設鉄塔を建設する技術は、新設鉄塔用に新たな用地を買い増す必要は無いものの、新設鉄塔の基礎を既設鉄塔の基礎同士の間に設置することから、新設鉄塔の基礎同士の間隔が、既設鉄塔の基礎同士の間隔よりも狭くならざるを得ない。
【００１５】
しかし、鉄塔を上に伸ばして充分な高さを確保するために実施する既設鉄塔の建て替え工事において、新設鉄塔の堅牢性を維持するためには、当然のことながら基礎同士の間隔が広くなる方が好ましい。この点において、新設鉄塔の基礎同士の間隔が狭くなってしまう特許文献１に示す技術を、市街地等の狭隘地において採用することは困難である。
【００１６】
さらに、特許文献２に示す、鉄塔の下端部構造以外の新設鉄塔本体を、既設鉄塔と平面視で同方向に配置し、新設鉄塔の基礎を、既設鉄塔の基礎に対して平面視で４５度回転させた位置に配置する技術も、新設鉄塔の基礎を、既設鉄塔の基礎同士の間に設置することから、新設鉄塔の基礎同士の間隔が、既設鉄塔の基礎同士の間隔よりも狭くなり、新設鉄塔の堅牢性を維持する上で好ましくない。
【００１７】
また、新設鉄塔においては、その基礎の上に２本の主柱材を上開きのＶ字型に取り付ける等の、新設鉄塔の基礎を補強する追加の工事が必要となり、全体の工事費用が高くなり易い。
【００１８】
そこで、本発明は如上のような従来存した諸事情に鑑み創出されたもので、既設鉄塔の塔体内空間に新設鉄塔を組み上げるための措置として、既設鉄塔の構成部材が干渉して障害となる範囲（上側）の構成部材を撤去すると共に、障害となる範囲（下側）において塔体内空間を拡幅することにより、この拡幅した既設鉄塔の塔体内空間に新設鉄塔を組み上げて、新たな鉄塔用地買い増しが困難である市街地等の狭隘地において、停止期間の短縮と工事費用の削減を実現しつつ、充分な高さと堅牢性を備えた新設鉄塔を建設することのできる、既設鉄塔の建て替え工法を提供することを目的とする。
【課題を解決するための手段】
【００１９】
本発明は、架空送電線を支持する既設鉄塔を建て替えるための既設鉄塔の建て替え工法であり、既設鉄塔に仮設部材用の接続プレートを取り付ける接続プレートの取り付け工程と、当該接続プレートを介して既設鉄塔の外周面に仮設部材を取り付けて、鉄塔の外周面を拡げる鉄塔の塔体外周面拡幅工程と、既設鉄塔が支持している架渉線（架空送電線・架空地線）を仮設部材側に移設する架渉線（架空送電線・架空地線）の移設工程と、仮設部材の上方に存在している既設鉄塔の構成部材を撤去する既設部材の撤去工程と、既設鉄塔の外周面に取り付けた仮設部材の内部に存在している既設鉄塔の構成部材の一部を撤去して、仮設部材内の空間を拡げる鉄塔の塔体内空間拡幅工程と、拡幅した鉄塔の塔体内空間において、新設鉄塔を組み上げる新設鉄塔の組み上げ工程と、仮設部材が支持している架渉線（架空送電線・架空地線）を新設鉄塔に移設する架渉線（架空送電線・架空地線）の再移設工程と、から成ることで、上述した課題を解決した。
【００２０】
また、既設部材の撤去工程を、塔体内空間に新設鉄塔を組み上げる際に、既設鉄塔の構成部材が干渉して障害となる範囲のうち、仮設部材の上方に実施することで、同じく上述した課題を解決した。
【００２１】
さらに、鉄塔の塔体外周面拡幅工程と鉄塔の塔体内空間拡幅工程を、塔体内空間に新設鉄塔を組み上げる際に、既設鉄塔の構成部材が干渉して障害となる範囲のうち、架渉線移設最上位置より下方に実施することで、同じく上述した課題を解決した。
【００２２】
また、鉄塔の塔体外周面拡幅工程と鉄塔の塔体内空間拡幅工程を、塔体内空間に新設鉄塔を組み上げる際に既設鉄塔の構成部材が干渉して障害となる範囲のうち、架渉線移設最上位置より下方において、上段の位置、中段の位置、下段の位置に実施することで、同じく上述した課題を解決した。
【００２３】
加えて、新設鉄塔を組み上げる新設鉄塔の組み上げ工程は、起重機等を使用して複数の単柱ユニットを吊り上げ、拡幅した鉄塔の塔体内空間に、単柱ユニットを順次積み重ねて行くことで、同じく上述した課題を解決した。
【発明の効果】
【００２４】
本発明に係る既設鉄塔の建て替え工法によれば、新たな鉄塔用地買い増しが困難である市街地等の狭隘地に建設されている既設鉄塔を建て替える際に、既設鉄塔の塔体内空間を利用して、充分な高さと堅牢性を備えた新設鉄塔を組み上げることができる。
【００２５】
この建て替え工法の第１の特徴は、既設鉄塔の塔体内空間に新設鉄塔を組み上げる際に、既設鉄塔の構成部材が干渉して障害となる範囲（上側）に存在する既設鉄塔の構成部材を撤去することにより、既設鉄塔の塔体内空間に新設鉄塔の建設を可能にしている。
【００２６】
また、建て替え工法の第２の特徴は、既設鉄塔の構成部材が干渉して障害となる範囲（下側）において塔体内空間を拡幅することにより、この拡幅した既設鉄塔の塔体内空間に新設鉄塔を組み上げることを可能にしている。
【００２７】
この様に、新設鉄塔の建設に障害となる範囲（上側）において、既設鉄塔の構成部材の全体を撤去し、また、障害となる範囲（下側）において、塔体の全体を拡幅して内部の干渉する部材を取り除くことにより、図３１に示すように、既設鉄塔の塔体内に新設鉄塔を建設するために必要な空間を確保し、この拡幅した塔体内空間に充分な高さを備えた新設鉄塔を建設することができるのである。
【００２８】
具体的には、既設鉄塔に仮設部材用の接続プレートを取り付ける接続プレートの取り付け工程と、当該接続プレートを介して既設鉄塔の外周面に仮設部材を取り付けて、鉄塔の外周面を拡げる鉄塔の塔体外周面拡幅工程と、既設鉄塔が支持している架渉線（架空送電線・架空地線）を仮設部材側に移設する架渉線（架空送電線・架空地線）の移設工程と、仮設部材の上方に存在している既設鉄塔の構成部材を撤去する既設部材の撤去工程と、既設鉄塔の外周面に取り付けた仮設部材の内部に存在している既設鉄塔の構成部材の一部を撤去して、仮設部材内の空間を拡げる鉄塔の塔体内空間拡幅工程と、拡幅した鉄塔の塔体内空間において、新設鉄塔を組み上げる新設鉄塔の組み上げ工程と、仮設部材が支持している架渉線（架空送電線・架空地線）を新設鉄塔に移設する架渉線（架空送電線・架空地線）の再移設工程と、から成ることから、既設鉄塔の塔体内空間に、新設鉄塔を極めて短時間で建設することができる。
【００２９】
また、既設鉄塔が支持している架渉線（架空送電線・架空地線）を仮設部材側に移設する架渉線（架空送電線・架空地線）の移設工程と、仮設部材が支持している架渉線（架空送電線・架空地線）を新設鉄塔に移設する架渉線（架空送電線・架空地線）の再移設工程を有することから、架空送電線の停止期間を短くすることができる。
【００３０】
さらに、既設部材の撤去工程を、塔体内空間に新設鉄塔を組み上げる際に、既設鉄塔の構成部材が干渉して障害となる範囲（上側）に実施することから、既設部材の塔体内空間を利用して、充分な高さを備えた新設鉄塔を建設することができる。
【００３１】
また、鉄塔の塔体外周面拡幅工程と鉄塔の塔体内空間拡幅工程を、塔体内空間に新設鉄塔を組み上げる際に、既設鉄塔の構成部材が干渉して障害となる範囲（下側）に実施することから、鉄塔の塔体内空間を充分に拡幅でき、この拡幅した塔体内空間に充分な高さを備えた新設鉄塔を建設することができる。
【００３２】
この様に、既設部材の撤去工程と、鉄塔の塔体外周面拡幅工程・鉄塔の塔体内空間拡幅工程を、塔体内空間に新設鉄塔を組み上げる際に、既設鉄塔の構成部材が干渉して障害となる範囲に限定して実施することから、全体の工事費用を大幅に削減できる。
【００３３】
加えて、鉄塔の塔体外周面拡幅工程と鉄塔の塔体内空間拡幅工程を、塔体内空間に新設鉄塔を組み上げる際に既設鉄塔の構成部材が干渉して障害となる範囲（下側）において、上段の位置、中段の位置、下段の位置に実施することから、鉄塔の塔体内空間を充分に拡幅すると共に、当該拡幅部位における既設鉄塔の堅牢性も維持している。
【００３４】
また、新設鉄塔を組み上げる新設鉄塔の組み上げ工程は、起重機等を使用して複数の単柱ユニットを吊り上げ、拡幅した鉄塔の塔体内空間に、単柱ユニットを順次積み重ねて行くことから、既設鉄塔の拡幅した塔体内空間に充分な高さを備えた新設鉄塔を迅速に建設することができ、全体の工事費用も大幅に削減できる。
【図面の簡単な説明】
【００３５】
【図１】既設鉄塔の塔体内空間に新設鉄塔を組み上げる際に、既設鉄塔の構成部材が干渉して障害となる範囲と、既設鉄塔の撤去部位、拡幅部位を明示した既設鉄塔の斜視図である。
【図２】既設鉄塔の構成を示すもので、（ａ）は正面図（背面図）、（ｂ）は側面図である。
【図３】既設鉄塔の塔体内空間に、既設鉄塔よりも高い新設鉄塔を建設する状態を示すもので、（ａ）は正面図（背面図）、（ｂ）は既設鉄塔の上方部分において、既設鉄塔の構成部材が干渉して、新設鉄塔の建設に障害となる範囲を明示した既設鉄塔の側面図である。
【図４】既設鉄塔の構成を示すもので、（ａ）は仮設部材を取り付ける上段の位置、中段の位置、下段の位置を明示した既設鉄塔の正面図（背面図）、（ｂ）は新設鉄塔の建設に障害となる範囲と、既設鉄塔の撤去部位、拡幅部位を明示した既設鉄塔の側面図である。
【図５】既設鉄塔が支持している架空送電線を、上段の位置に取り付けた仮設部材側に移設する状態を示す既設鉄塔の正面図（背面図）である。
【図６】既設鉄塔の上段の位置、中段の位置、下段の位置に仮設部材を取り付けた状態を示すもので、（ａ）は既設鉄塔の平面図、（ｂ）は既設鉄塔の正面図（背面図）、（ｃ）は既設鉄塔の側面図である。
【図７】起重機を使用して、複数の単柱ユニットを個別に吊り上げ、拡幅した鉄塔の塔体内空間に、個々の単柱ユニットを順次積み重ねて行く状態を示す既設鉄塔の側面図である。
【図８】既設鉄塔の上段の位置に、接続プレートを取り付ける状態を示す分解斜視図である。
【図９】既設鉄塔の上段の位置に、接続プレートを取り付けた状態を示す斜視図である。
【図１０】既設鉄塔の上段の位置に、接続プレートを取り付けた状態を示す既設鉄塔の概略の斜視図である。
【図１１】既設鉄塔の上段の位置に、接続プレートを介して２基の仮設部材を取り付ける状態を示す既設鉄塔の概略の分解斜視図である。
【図１２】既設鉄塔の上段の位置に、接続プレートを介して仮設部材を取り付ける状態を示す既設鉄塔の拡大した分解斜視図である。
【図１３】既設鉄塔の上段の位置に、接続プレートを介して仮設部材を取り付けた状態を示す既設鉄塔の拡大した斜視図である。
【図１４】上段の位置に取り付けている仮設部材において、内部に存在している腹材を撤去する状態を示すもので、（ａ）は腹材の切断位置を示す斜視図、（ｂ）は腹材を撤去した状態の斜視図である。
【図１５】既設鉄塔の上段の位置に、接続プレートを介して２基の仮設部材を取り付けた状態を示す既設鉄塔の概略の斜視図である。
【図１６】既設鉄塔の中段の位置に、接続プレートを取り付ける状態を示す分解斜視図である。
【図１７】既設鉄塔の中段の位置に、接続プレートを取り付けた状態を示す斜視図である。
【図１８】既設鉄塔の中段の位置に、接続プレートを取り付けた状態を示す既設鉄塔の概略の斜視図である。
【図１９】既設鉄塔の中段の位置に、接続プレートを介して２基の仮設部材を取り付ける状態を示す既設鉄塔の概略の分解斜視図である。
【図２０】既設鉄塔の中段の位置に、接続プレートを介して仮設部材を取り付ける状態を示す既設鉄塔の拡大した分解斜視図である。
【図２１】既設鉄塔の中段の位置に、接続プレートを介して仮設部材を取り付けた状態を示す既設鉄塔の拡大した斜視図である。
【図２２】中段の位置に取り付けている仮設部材において、内部に存在している腹材を撤去する状態を示すもので、（ａ）は腹材の切断位置を示す斜視図、（ｂ）は腹材を撤去した状態の斜視図である。
【図２３】既設鉄塔の中段の位置に、接続プレートを介して２基の仮設部材を取り付けた状態を示す既設鉄塔の概略の斜視図である。
【図２４】既設鉄塔の下段の位置に、接続プレートを取り付ける状態を示す分解斜視図である。
【図２５】既設鉄塔の下段の位置に、接続プレートを取り付けた状態を示す斜視図である。
【図２６】既設鉄塔の下段の位置に、接続プレートを取り付けた状態を示す既設鉄塔の概略の斜視図である。
【図２７】既設鉄塔の下段の位置に、接続プレートを介して２基の仮設部材を取り付ける状態を示す既設鉄塔の概略の分解斜視図である。
【図２８】既設鉄塔の下段の位置に、接続プレートを介して仮設部材を取り付ける状態を示す既設鉄塔の拡大した分解斜視図である。
【図２９】既設鉄塔の下段の位置に、接続プレートを介して仮設部材を取り付けた状態を示す既設鉄塔の拡大した斜視図である。
【図３０】既設鉄塔の下段の位置に、接続プレートを介して２基の仮設部材を取り付けた状態を示す既設鉄塔の概略の斜視図である。
【図３１】既設鉄塔の上段の位置、中段の位置、下段の位置に２基の仮設部材を取り付け、それぞれの仮設部材内において既設鉄塔の構成部材の一部を撤去して塔体内空間を拡げ、この拡幅した塔体内空間に新設鉄塔を組み上げている状態を示す既設鉄塔の概略の斜視図である。
【発明を実施するための形態】
【００３６】
以下に、図面を参照して、本発明を実施するための形態を詳細に説明する。
【００３７】
本発明は、新たな鉄塔用地買い増しが困難である市街地等の狭隘地に建設されている既設鉄塔Ｔを建て替える際に、既設鉄塔Ｔの塔体内空間を利用して、充分な高さと堅牢性を備えた新設鉄塔Ｎを組み上げることのできる、既設鉄塔Ｔの建て替え工法である。
【００３８】
この建て替え工法の特徴は、以下の２点にある。
【００３９】
第１の特徴…既設鉄塔Ｔの塔体内空間に新設鉄塔Ｎを組み上げる際に、既設鉄塔Ｔの構成部材が干渉して障害となる範囲（上側）に存在する既設鉄塔Ｔの構成部材を撤去すること。
【００４０】
第２の特徴…既設鉄塔Ｔの構成部材が干渉して障害となる範囲（下側）において塔体内空間を拡幅して、この拡幅した既設鉄塔Ｔの塔体内空間に新設鉄塔Ｎを組み上げること。
【００４１】
架空送電線Ｅを支持する既設鉄塔Ｔは、例えば、図１・図２（ａ）（ｂ）に示すように、立設した４本の主柱材１と、各主柱材１間に取り付けた複数の斜材や水平材等の腹材２により構成されている。これらの腹材２は、所定のプレートを介して各主柱材１間に固定されている。また、既設鉄塔Ｔは、その上部において、例えば、架空送電線Ｅを支持する腕金部３を三段に備えている。
【００４２】
各主柱材１の下端部は、所定の基礎を介して地盤に固定されている。これらの主柱材１は、正面（背面）側から見ると、図２（ａ）に示すように、２本の主柱材１が所定の間隔を保持した幅広状に配置され、互いに平行となるように立設している。
【００４３】
また、主柱材１は、側方から見ると、図２（ｂ）に示すように、２本の主柱材１が所定の間隔を保持しており、正面（背面）側よりも幅狭状に配置されている。この２本の主柱材１は、下端部から上端部にかけて次第に間隔が狭くなるように立設している。
【００４４】
そして、図１・図２（ａ）（ｂ）に示す既設鉄塔Ｔは、４本の主柱材１が平面視で矩形状に配置されている。その為、矩形状に配置されている４本の主柱材１の内部において腹材２を撤去した状態を想定すると、立設している４本の主柱材１の内部に空間が存在することになる。
【００４５】
この様に、図１・図２（ａ）（ｂ）に示す既設鉄塔Ｔにおいては、４本の主柱材１に囲まれるようにして、塔体内空間が形成されている。
【００４６】
この塔体内空間は、既設鉄塔Ｔの側方に配置されている２本の主柱材１が、下端部から上端部にかけて次第に間隔が狭くなるように立設していることから、塔体内空間自身も、下端部側から上端部側にかけて次第に窄まるようになっている。
【００４７】
そして、図３（ａ）に示すように、既設鉄塔Ｔの塔体内空間に、既設鉄塔Ｔよりも高い新設鉄塔Ｎを建設しようとすると、図３（ｂ）に示すように、既設鉄塔Ｔの上方部分において、主柱材１や腕金部３をはじめとする既設鉄塔Ｔの構成部材が干渉して、新設鉄塔Ｎの建設に障害となる範囲が生じる。
【００４８】
本発明に係る既設鉄塔Ｔの建て替え工法は、この様な新設鉄塔Ｎの建設に障害となる範囲を無くすために、図１・図４（ｂ）に示すように、当該範囲の上側において、主柱材１や腕金部３をはじめとする既設鉄塔Ｔの構成部材の全体を撤去する措置を施す（図１・図４（ｂ）の撤去部位）。
【００４９】
また、新設鉄塔Ｎの建設に障害となる範囲の下側において、図１・図４（ｂ）に示すように、鉄塔の塔体外周面を拡幅する措置・鉄塔の塔体内空間を拡幅する措置を施す（図１・図４（ｂ）の拡幅部位）。そして、当該拡幅部位の内部において、干渉する既設鉄塔Ｔの構成部材の全てを取り除くのである。
【００５０】
この様に、新設鉄塔Ｎの建設に障害となる範囲（上側）において、既設鉄塔Ｔの構成部材の全体を撤去し、また、障害となる範囲（下側）において、塔体の全体を拡幅して内部の干渉する部材を取り除くことにより、最終的に図３１に示すように、既設鉄塔Ｔの塔体内に新設鉄塔Ｎを建設するために必要な空間を確保し、この拡幅した塔体内空間に充分な高さを備えた新設鉄塔Ｎを建設するのである。
【００５１】
また、鉄塔の塔体外周面を拡幅してから内部の干渉する部材を取り除いて塔体内空間を拡幅する措置を、障害となる範囲（下側）において、上段の位置Ａ、中段の位置Ｂ、下段の位置Ｃに実施することにより、当該拡幅部位における既設鉄塔Ｔの堅牢性を維持している。
【００５２】
この様な特徴を有する既設鉄塔Ｔの建て替え工法は、具体的に下記の工程を実施する。
１．既設鉄塔Ｔに仮設部材用の接続プレートを取り付ける接続プレートの取り付け工程（図８乃至図１０、図１６乃至１８、図２４乃至図２６参照）
２．当該接続プレートを介して既設鉄塔Ｔの外周面に仮設部材を取り付けて、鉄塔の外周面を拡げる鉄塔の塔体外周面拡幅工程（図４（ａ）（ｂ）、図３１参照）
３．既設鉄塔Ｔが支持している架渉線（架空送電線Ｅ・架空地線）を仮設部材側に移設する架渉線（架空送電線Ｅ・架空地線）の移設工程（図５参照）
４．仮設部材の上方に存在している既設鉄塔Ｔの構成部材を撤去する既設部材の撤去工程（図６（ｂ）（ｃ）参照）
５．既設鉄塔Ｔの外周面に取り付けた仮設部材の内部に存在している既設鉄塔Ｔの構成部材の一部を撤去して、仮設部材内の空間を拡げる鉄塔の塔体内空間拡幅工程（図６（ａ）、図３１参照）
６．拡幅した鉄塔の塔体内空間において、新設鉄塔Ｎを組み上げる新設鉄塔Ｎの組み上げ工程（図３（ａ）・図７参照）
７．仮設部材が支持している架渉線（架空送電線Ｅ・架空地線）を新設鉄塔Ｎに移設する架渉線（架空送電線Ｅ・架空地線）の再移設工程
【００５３】
以下に、これらの各工程の内容を詳細に説明する。
【００５４】
（１．既設鉄塔Ｔに仮設部材用の接続プレートを取り付ける接続プレートの取り付け工程…上段Ａ、中段Ｂ、下段Ｃ）
【００５５】
まず、図１・図４（ｂ）に示す拡幅部位において、既設鉄塔Ｔに仮設部材用の接続プレートを取り付ける。
【００５６】
この接続プレートの取り付けは、後述する鉄塔の塔体外周面拡幅工程と鉄塔の塔体内空間拡幅工程の前提となる措置である。
【００５７】
そして、当該塔体外周面拡幅工程と塔体内空間拡幅工程を、既設鉄塔Ｔの塔体内空間に新設鉄塔Ｎを組み上げる際に、既設鉄塔Ｔの構成部材が干渉して障害となる範囲（下側）における上段の位置Ａ、中段の位置Ｂ、下段の位置Ｃに実施することから、それぞれの接続プレートの取り付けを分けて説明する。
【００５８】
［上段の位置Ａにおける接続プレート４，５の取り付け（図８・図９・図１０参照）］
上段の位置は、図４（ａ）（ｂ）に示すように、既設鉄塔Ｔにおいて、最も下方に設置されている腕金部３の位置に該当する。
【００５９】
腕金部３は、図１・図２（ａ）に示すように、２本の主柱材１の側方に突出するように設けられている。この腕金部３は、図８に示すように、主柱材１側から水平に延設された腕金支材６と、腕金支材の上方に位置し、主柱材１側から腕金支材６の先端部に向けて下向きに傾斜した腕金吊材７により構成されている。腕金支材６と腕金吊材７は、いずれも全体が三角形状に形成され、その先端部同士が接合した状態で固定されている。
【００６０】
この腕金支材６の略中間位置には、ボルト用の孔Ｈ６が設けられている。また、腕金支材６と腕金吊材７の基端部が固定されている２本の主柱材１の間には、短尺な水平材２Ａ，２Ｂが、上下の２段に固定されている。この水平材２Ａ，２Ｂの間には、補強用の斜材２Ｅが固定されている。
【００６１】
尚、図１に示すように、主柱材１の他方側においても、同様の腕金部３と短尺な水平材２Ａ，２Ｂが設置されていることは、言うまでもない。
【００６２】
さらに、図１・図８に示すように、既設鉄塔Ｔの正面側（背面側）に位置している２本の主柱材１の間には、長尺な水平材２Ｃ，２Ｄが上下の２段に固定されている。この２本の水平材２Ｃ，２Ｄは、腕金部３を構成する腕金支材６の基端部同士と、腕金吊材７の基端部同士を接続するように主柱材１に固定されている。
【００６３】
また、図８に示すように、２本の長尺な水平材２Ｃ，２Ｄの両端部には、複数のボルト用の孔Ｈ２が設けられている。さらに、水平材２Ｃ，２Ｄの長手方向に沿うようにして、当該ボルト用の孔Ｈ２の内側にも、複数のボルト用の孔Ｈ３が設けられている。また、２本の長尺な水平材２Ｃ，２Ｄの間には、補強用の斜材２Ｅが固定されている。
【００６４】
そして、図８・図９に示すように、２本の長尺な水平材２Ｃ，２Ｄの端部に、接続プレート４を取り付ける。接続プレート４は、全体として矩形の板状に形成され、複数のボルト用の孔Ｈ４が設けられている。この接続プレート４の孔Ｈ４を水平材２Ｃ，２Ｄの孔Ｈ２に合致させ、ボルト止めすることにより、水平材２Ｃ，２Ｄの端部に接続プレート４を固定するのである。
【００６５】
また、上段に配置されている長尺な２本の水平材２Ｃの間と、下段に配置されている長尺な２本の水平材２Ｄの間に、中間接続プレート５を備えた梁材８が取り付けられる。
【００６６】
この梁材８は、図８に示すように、長尺な第一水平材９を備え、この第一水平材９の中央部分に、略台形状の中間接続プレート５を固定している。第一水平材９は、両端部にボルト用の孔Ｈ９が設けられている。
【００６７】
中間接続プレート５は、幅狭となっている部分が既設鉄塔Ｔの側方を向くようにして第一水平材９に固定されている。また、中間接続プレート５の幅広となっている部分には、複数のボルト用の孔Ｈ５が設けられている。
【００６８】
さらに、中間接続プレート６の幅狭となっている部分には、略三角形状の枠部１０が固定されている。この枠部１０は、中間接続プレート５の幅狭となっている部分に、Ｖ字状に拡がるように取り付けた２本の斜材１１と、両斜材１１の端部に固定された、第一水平材９よりも短尺な第二水平材１２により構成されている。
【００６９】
この梁材８は、図８・図９に示すように、既設鉄塔Ｔの水平材２Ａに第二水平材１２を当接した状態で、第一水平材９の両端部を、２本の水平材２Ｃに取り付ける。例えば、第一水平材９の孔Ｈ９を、２本の水平材２Ｃに設けている内側の孔Ｈ３に合致させ、ボルト止めすることにより、梁材８を固定する。この梁材８を介して、２本の水平材２Ｃの間に、中間接続プレート５を配置するのである。
【００７０】
同様に、既設鉄塔Ｔの水平材２Ｂに第二水平材１２を当接した状態で、第一水平材９の両端部を、２本の水平材２Ｄに取り付ける。例えば、第一水平材９の孔Ｈ９を、２本の水平材２Ｄに設けている内側の孔Ｈ３に合致させ、ボルト止めすることにより、梁材８を固定する。この梁材８を介して、２本の水平材２Ｄの間に、中間接続プレート５を配置するのである。
【００７１】
こうして、図１０に示すように、既設鉄塔Ｔの最も下方に設置されている腕金部３の部分において、上下の２段に配置されている水平材２Ｃ，２Ｄの端部のそれぞれに、合計８個の接続プレート５を取り付ける。
【００７２】
また、長尺な２本の水平材２Ｃ，２Ｄの間に、合計４個の梁材８を固定し、この梁材８を介して、合計４個の中間接続プレート５を取り付ける。
【００７３】
［中段の位置Ｂにおける接続プレート４，５の取り付け（図１６・図１７・図１８参照）］
中段の位置Ｂは、図４（ａ）（ｂ）に示すように、既設鉄塔Ｔにおいて、最下段の腕金部３の下方の位置に該当する。
【００７４】
尚、中段の位置Ｂにおける既設鉄塔Ｔの構成は、図１６・図１７に示すように、腕金部３が存在していない点を除いて、前述した［上段の位置Ａ］における既設鉄塔Ｔの構成と同一であることから、当該同一の構成部材には同一の符号を付すことにより、その詳細な説明を省略する。
【００７５】
同様に、接続プレート４と、中間接続プレート５を備えた梁材８の構成と、その取り付け位置も同様であることから、当該同一の構成部材には同一の符号を付すことにより、その詳細な説明を省略する。
【００７６】
こうして、図１８に示すように、中段の位置Ｂにおいて、上下の２段に配置されている水平材２Ｃ，２Ｄの端部のそれぞれに、合計８個の接続プレート４を取り付ける。
【００７７】
また、長尺な２本の水平材２Ｃ，２Ｄの間に、合計４個の梁材８を固定し、この梁材８を介して、合計４個の中間接続プレート５を取り付ける。
【００７８】
［下段の位置Ｃにおける接続プレート１５，１６の取り付け（図２４・図２５・図２６参照）］
下段の位置Ｃは、図４（ａ）（ｂ）に示すように、既設鉄塔Ｔにおいて、中段の位置Ｂよりも下方に位置している、所定の高さ（幅）を有している部分である。
【００７９】
この下段の位置Ｃにおいて、図２４・図２５に示すように、各主柱材１に、上下方向に所定の間隔を開けて２個の接続プレート１５，１６を取り付ける。
【００８０】
上方に配置される接続プレート１５は、図２４に示すように、既設鉄塔Ｔに固定されている接続プレートＰに当接する部分１５Ａと、既設鉄塔Ｔの側方（外側）を向くように折曲して、既設鉄塔Ｔの接続プレートＰから離れるようにして当接する部分１５Ａに連設している部分１５Ｂにより形成されている。
【００８１】
この既設鉄塔Ｔの接続プレートＰに当接する部分１５Ａは、略矩形状に形成されている。また、既設鉄塔Ｔの接続プレートＰから離れるようにして当接する部分１５Ａに連設している部分１５Ｂは、細長の略台形状部分により形成されている。
【００８２】
接続プレートＰに当接する部分１５Ａの略矩形状部分には、複数のボルト用の孔１５ＡＨが設けられている。また、接続プレートＰから離れるようにして当接する部分１５Ａに連設している部分１５Ｂにも、複数のボルト用の孔１５ＢＨが設けられている。
【００８３】
下方に配置される接続プレート１６も、図２４に示すように、既設鉄塔Ｔに固定されている接続プレートＰに当接する部分１６Ａと、既設鉄塔Ｔの側方（外側）を向くように折曲して、既設鉄塔Ｔの接続プレートＰから離れるようにして当接する部分１６Ａに連設している部分１６Ｂにより形成されている。
【００８４】
この既設鉄塔Ｔの接続プレートＰに当接する部分１６Ａは、略台形状部分に三角形状部分を連設して形成されている。また、既設鉄塔Ｔの接続プレートＰから離れるようにして当接する部分１６Ａに連設している部分１６Ｂは、細長の略台形状部分により形成されている。
【００８５】
既設鉄塔Ｔの接続プレートＰに当接する部分１６Ａには、複数のボルト用の孔１６ＡＨが設けられている。また、接続プレートＰから離れるようにして当接する部分１６Ａに連設している部分１６Ｂにも、複数のボルト用の孔１６ＢＨが設けられている。
【００８６】
そして、図２５・図２６に示すように、既設鉄塔Ｔの正面側と背面側において、４個づつ、合計８個の接続プレート１５，１６を取り付ける。これらの接続プレート１５，１６は、図２４に示すように、対角線上に位置している接続プレート１５，１６が、互いに細長の略台形状部分（１５Ｂ，１６Ｂ）が向かい合うような角度で既設鉄塔Ｔの接続プレートＰに固定される。
【００８７】
また、主柱材１においては、図２４・図２５に示すように、上方に配置される接続プレート１５と下方に配置される接続プレート１６の間において、複数のボルト用の孔Ｈ１が設けられている。
【００８８】
（２．当該接続プレートを介して既設鉄塔Ｔの外周面に仮設部材を取り付けて、鉄塔の外周面を拡げる鉄塔の塔体外周面拡幅工程（図４（ａ）（ｂ）参照）…上段Ａ、中段Ｂ、下段Ｃ）
【００８９】
［上段の位置Ａにおける仮設部材Ｔ１の取り付け（図１１・図１２・図１３・図１４・図１５参照）］
この仮設部材Ｔ１は、図１１に示すように、既設鉄塔Ｔの上段の位置Ａに固定した接続プレート４に取り付けるものである。
【００９０】
この仮設部材Ｔ１は、図１１に示すように、平面視で略台形の枠状に形成されている。
【００９１】
仮設部材Ｔ１は、図１１・図１２に示すように、上下に配置された一対の中央水平材２１が、３本の短尺な縦材２２により連結されて長方形の枠を形成している。この枠の縦材２２間には、斜材２３が固定されている。
【００９２】
また、枠の両端に配置されている縦材２２の上下の端部に、内側に向けて傾斜するように、上下一対の側部水平材２４が固定されている。この側部水平材２４の先端部には、ボルト用の孔Ｈ２４が設けられている。
【００９３】
さらに、枠の中央に配置されている縦材２２の上下の端部に、上下一対の内部水平材２５が固定されている。この上下一対の内部水平材２５は、縦材２２の上下の端部において、枠の両側に位置している側部水平材２４の先端部に向かうように、傾斜状に固定されている。
【００９４】
即ち、上下一対の内部水平材２５は、枠の一端側に位置している側部水平材２４の先端部に向かうものと、枠の他端側に位置している側部水平材２４の先端部に向かうものが存在し、いずれもその先端部にボルト用の孔Ｈ２５が設けられている。また、上下一対の内部水平材２５は、その中央部分が短尺な縦材２２により連結されている。
【００９５】
さらに、上下一対の内部水平材２５において、縦材２２近傍の上下端に、それぞれ長尺な固定杆２６と短尺な固定杆２７が、内側に向けて傾斜するように固定されている。この長尺な固定杆２６と短尺な固定杆２７は並設しており、長尺な固定杆２６が内側に配置され、短尺な固定杆２７がその外側に配置されている。また、長尺な固定杆２６の先端部に、ボルト用の孔Ｈ２６が設けられている。同様に、短尺な固定杆２７の先端部に、ボルト用の孔Ｈ２７が設けられている。
【００９６】
この様にして形成されている仮設部材Ｔ１を２基準備し、図１１に示すように、既設鉄塔Ｔの上段の位置Ａにおける正面側と背面側に取り付ける。この２基の仮設部材Ｔ１は、事前に地上で組み立てておく。そして、施工の際に、起重機Ｓ等を使用して２基の仮設部材Ｔ１を吊り上げ、既設鉄塔Ｔに取り付けるのである。
【００９７】
既設鉄塔Ｔへの仮設部材Ｔ１の取り付けは、まず、図１２・図１３に示すように、仮設部材Ｔ１を構成する上下一対の側部水平材２４と内部水平材２５の先端部を、既設鉄塔Ｔにおいて上下の２段に配置されている水平材２Ｃ，２Ｄの端部に配置されている接続プレート４に取り付ける。
【００９８】
具体的には、側部水平材２４の孔Ｈ２４と、内部水平材２５の孔Ｈ２５を、接続プレート４の孔Ｈ４に合致させ、ボルト止めするのである。
【００９９】
また、仮設部材Ｔ１を構成する上下一対の短尺な固定杆２７の先端部を、既設鉄塔Ｔにおいて上下の２段に配置されている水平材２Ｃ，２Ｄにおいて、接続プレート４の内側に位置しているボルト用の孔Ｈ３に取り付ける。
【０１００】
具体的には、固定杆２７の先端部に設けている孔Ｈ２７を、水平材２Ｃ，２Ｄのボルト用の孔Ｈ３に合致させ、ボルト止めするのである。
【０１０１】
さらに、仮設部材Ｔ１を構成する上下一対の長尺な固定杆２６の先端部を、既設鉄塔Ｔにおいて、２本の水平材２Ｃの間に配置している中間接続プレート５に取り付ける。
【０１０２】
具体的には、固定杆２６の先端部に設けている孔Ｈ２６を、中間接続プレート５の孔Ｈ５に合致させ、ボルト止めするのである。
【０１０３】
この様にして、図１５に示すように、２基の仮設部材Ｔ１を、既設鉄塔Ｔの外周面を取り囲むように取り付けて、上段の位置Ａにおける鉄塔の外周面を拡げるのである。
【０１０４】
このとき、２基の仮設部材Ｔ１は、図１５に示すように、上下一対の中央水平材２１と、中央水平材２１の両端部にそれぞれ配置されている上下一対の側部水平材２４により、仮設部材の外周縁を構成している。
【０１０５】
また、２基の仮設部材Ｔ１は、中央水平材２１の中央の縦材２２からＶ字状に拡がるように延設した上下一対の内部水平材２５と、内部水平材２５に固定した上下一対の長尺な固定杆２６により、仮設部材Ｔ１の内周縁を構成している。
【０１０６】
この仮設部材Ｔ１の内周縁は、既設鉄塔Ｔの塔体内空間を、既設鉄塔Ｔの正面側方向と背面側方向に向けて略円環状に拡げている。その為、２基の仮設部材Ｔ１を既設鉄塔Ｔに取り付けて、後述するように、仮設部材Ｔ１の内部に存在している既設鉄塔Ｔの構成部材の一部を撤去することにより、鉄塔の塔体内空間を拡げるのである。
【０１０７】
この他、上段の位置Ａにおいては、図１１に示すように、既設鉄塔Ｔの腕金部３に、補強用梁材３０が取り付けられる。補強用梁材３０は、図１２に示すように、２本の棒体３１と、２本の棒体３１の両端部に取り付けた固定板３２により構成されている。それぞれの固定板３２には、ボルト用の孔Ｈ３２が設けられている。また、一方の固定板３２には、所定の長さの補強杆３３が傾斜状に取り付けられている。
【０１０８】
この補強用梁材３０は、図１３に示すように、腕金部３を構成する腕金支材６に設けているボルト用の孔Ｈ６に固定板３２の孔Ｈ３２を合致させ、ボルト止めして固定される。また、補強用梁材３０の補強杆３３は、腕金支材６の基端部側に配置されている下側の接続プレート４に固定される。
【０１０９】
［中段の位置Ｂにおける仮設部材Ｔ２の取り付け（図１９・図２０・図２１・図２２・図２３参照）］
中段の位置Ｂにおける仮設部材Ｔ２の取り付けは、図１９・図２０・図２１に示すように、既設鉄塔Ｔの腕金部３が存在していない部分に仮設部材Ｔ２を取り付け点を除いて、前述した［上段の位置Ａ］における仮設部材Ｔ１の取り付けと同一であることから、当該同一の構成部材には同一の符号を付すことにより、その詳細な説明を省略する。
【０１１０】
また、中段の位置Ｂにおいては、既設鉄塔Ｔの腕金部３が存在していないことから、この腕金部３に取り付ける補強用梁材３０も存在していない。
【０１１１】
そして、図２３に示すように、２基の仮設部材Ｔ２を、既設鉄塔Ｔの外周面を取り囲むように取り付けて、中段の位置Ｂにおける鉄塔の外周面を拡げるのである。
【０１１２】
このとき、２基の仮設部材Ｔ２は、図２３に示すように、上下一対の中央水平材２１と、中央水平材２１の両端部にそれぞれ配置されている上下一対の側部水平材２４により、仮設部材の外周縁を構成している。
【０１１３】
また、２基の仮設部材Ｔ２は、中央水平材２１の中央の縦材２２からＶ字状に拡がるように延設した上下一対の内部水平材２４と、内部水平材２４に固定した上下一対の長尺な固定杆により、仮設部材Ｔ２の内周縁を構成している。
【０１１４】
この仮設部材Ｔ２の内周縁は、既設鉄塔Ｔの塔体内空間を、既設鉄塔Ｔの正面側方向と背面側方向に向けて略円環状に拡げている。その為、２基の仮設部材Ｔ２を既設鉄塔Ｔに取り付けて、後述するように、仮設部材Ｔ２の内部に存在している既設鉄塔Ｔの構成部材の一部を撤去することにより、鉄塔の塔体内空間を拡げるのである。
【０１１５】
［下段の位置Ｃにおける仮設部材Ｔ３の取り付け（図２７・図２８・図２９・図３０参照）］
仮設部材Ｔ３は、図２７に示すように、既設鉄塔Ｔの下段の位置Ｃに固定した接続プレート１５，１６に固定するものである。
【０１１６】
この仮設部材Ｔ３は、図２７・図２８に示すように、中央支持部４０に、長尺な１２本の固定杆４１を取り付けて形成されている。
【０１１７】
中央支持部４０は、図２７に示すように、外側固定板４２と内側固定板４３を、所定の接続片４４を介して連設している。
【０１１８】
外側固定板４２と内側固定板４３は、いずれも矩形で、縦方向における中央部分を境にして、両端側が後方に向けて若干傾斜している。
【０１１９】
この外側固定板４２と内側固定板４３の一方側には、図２８に示すように、それぞれ３本の固定杆４１が、側方に向けて固定されている。これらの３本の固定杆４１は、いずれもその基端部が外側固定板４２と内側固定板４３に固定されている。
【０１２０】
また、中央に位置する固定杆４１は水平に延設され、上下の固定杆４１は、その先端側が中央の固定杆４１から離れるように傾斜状に延設されている。さらに、外側固定板４２に固定されている固定杆４１と、内側固定板４３に固定されている固定杆４１は、いずれも先端側に行くに従い、徐々に固定杆４１同士の間隔が狭くなり、その先端部において両者が接合するような状態となっている。
【０１２１】
また、上下の固定杆４１の中間部と、中央の固定杆４１の先端部を接続するように、補強材４５が固定されている。
【０１２２】
中央支持部４０の他方側にも、同様に、外側固定板４２と内側固定板４３に、補強材４５を備えた固定杆４１が側方に向けて固定されている。
【０１２３】
さらに、仮設部材Ｔ３は、図２７・図３０に示すように、全体として中央支持部４０が、平面視で側方に向けて突出するように形成されている。即ち、中央支持部４０を構成する外側固定板４２と内側固定板４３は、いずれも矩形で、縦方向における中央部分を境にして、両端側が後方に向けて若干傾斜していることから、この外側固定板４２に固定されている固定杆４１と、内側固定板４３に固定されている固定杆４１は、基端部側が側方（鉄塔から離れる方向）に向けて突出し、固定杆４１の先端部側が反対方向（鉄塔に近づく方向）を向くように延設されている。
【０１２４】
そして、中央支持部４０が側方に向けて突出した頂点とする角錐の一辺を形成するように、各固定杆４１が配置されている。各固定杆４１には、いずれもその先端部にボルト用の孔Ｈ４１が設けられている。
【０１２５】
この様な仮設部材Ｔ３を２基準備し、図２７・図３０に示すように、下段の位置Ｃにおける既設鉄塔Ｔの正面側と背面側に取り付ける。２基の仮設部材Ｔ３は、事前に地上で組み立てておく。そして、施工の際に、起重機Ｓ等を使用して２基の仮設部材Ｔ３を吊り上げ、既設鉄塔Ｔに取り付けるのである。
【０１２６】
具体的には、中央支持部４０の外側固定板４２に固定されている固定杆４１と、内側固定板４３に固定されている固定杆４１において、図２８・図２９に示すように、中央の固定杆４１の先端部を、主柱材１に設けているボルト用の孔Ｈ１を介して主柱材１に取り付ける。
【０１２７】
また、図２８・図２９に示すように、先端側が中央の固定杆４１から離れるように傾斜状に延設されている上方の固定杆４１の先端部を、主柱材１の上方に配置されている接続プレート１５に取り付ける。
【０１２８】
具体的には、固定杆４１の先端部に設けられている孔Ｈ４１を、接続プレート１５を構成する部分１５Ｂに設けられている孔１５ＢＨに合致させ、ボルト止めするのである。
【０１２９】
また、先端側が中央の固定杆４１から離れるように傾斜状に延設されている下方の固定杆４１の先端部を、主柱材１の下方に配置されている接続プレート１６に取り付ける。
【０１３０】
具体的には、固定杆４１の先端部に設けられている孔Ｈ４１を、接続プレート１６を構成する部分１６Ｂに設けられている孔１６ＢＨに合致させ、ボルト止めするのである。
【０１３１】
この様にして、図３０に示すように、２基の仮設部材Ｔ３を、既設鉄塔Ｔの正面側と背面側に取り付けて、鉄塔の外周面を拡げるのである。
【０１３２】
このとき、２基の仮設部材Ｔ３は、図３０に示すように、中央支持部４０が存在する固定杆４１の基端部が、側方（鉄塔から離れる方向）に向けて突出し、固定杆４１の先端部側が反対方向（鉄塔に近づく方向）を向くように延設されている状態で、外側固定板４２に固定されている各固定杆４１により、仮設部材Ｔ３の外周縁を構成している。
【０１３３】
また、２基の仮設部材Ｔ３は、中央支持部４０が存在する固定杆４１の基端部が、側方（鉄塔から離れる方向）に向けて突出し、固定杆４１の先端部側が反対方向（鉄塔に近づく方向）を向くように延設されている状態で、内側固定板４３に固定されている各固定杆４１により、仮設部材Ｔ３の内周縁を構成している。
【０１３４】
この仮設部材Ｔ３の内周縁を構成する各固定杆４１は、中央支持部４０の内側固定板４３が側方に突出した頂点とする角錐の一辺を形成するように各固定杆４１が配置されていることから、既設鉄塔Ｔの塔体内空間を、既設鉄塔Ｔの正面側方向と背面側方向に向けて略角環状に拡げている。
【０１３５】
その為、２基の仮設部材Ｔ３を既設鉄塔Ｔに取り付けて、後述するように、仮設部材Ｔ３の内部に存在している既設鉄塔Ｔの構成部材の一部を撤去することにより、鉄塔の塔体内空間を拡げるのである。
【０１３６】
上述した様に、塔体内空間に新設鉄塔Ｎを組み上げる際に、既設鉄塔Ｔの構成部材が干渉して障害となる範囲（下側）において、図３１に示すように、上段の位置Ａ、中段の位置Ｂ、下段の位置Ｃにそれぞれ仮設部材Ｔ１、Ｔ２、Ｔ３を取り付けて、鉄塔の塔体外周面を拡幅するのである。
【０１３７】
（３．既設鉄塔Ｔが支持している架渉線（架空送電線Ｅ・架空地線）を仮設部材Ｔ１側に移設する架渉線（架空送電線Ｅ・架空地線）の移設工程（図５参照））
次に、図５に示すように、既設鉄塔Ｔが支持している架空送電線Ｅ・架空地線等の架渉線を取り外して、仮設部材Ｔ１側に移設する。
【０１３８】
この移設部分は、塔体内空間に新設鉄塔Ｎを組み上げる際に既設鉄塔Ｔの構成部材が干渉して障害となる範囲（下側）における、上段の位置Ａに設置している仮設部材Ｔ１である。
【０１３９】
具体的には、架空送電線Ｅ・架空地線等の架渉線を、図５に示すように、仮設材Ｔ１が取り付けられている主柱材１と、腕金部３に移設する。
【０１４０】
（４．仮設部材Ｔ１の上方に存在している既設鉄塔Ｔの構成部材を撤去する既設部材の撤去工程（図６（ｂ）（ｃ）参照））
次に、図６（ｂ）（ｃ）に示すように、最下段の腕金部３と、腕金部３の上部に存在する主柱材１の一部を除いて、塔頂までの主柱材１・腹材２・他の腕金部３等の既設鉄塔Ｔの構成部材を全て撤去する。
【０１４１】
即ち、図１・図４（ｂ）に示すように、既設鉄塔Ｔの塔体内空間に新設鉄塔Ｎを組み上げる際に、既設鉄塔Ｔの構成部材が干渉して障害となる範囲（上側）に存在する既設鉄塔Ｔの構成部材を全て撤去するのである。
【０１４２】
（５．既設鉄塔Ｔの外周面に取り付けた仮設部材Ｔ１、Ｔ２、Ｔ３の内部に存在している既設鉄塔Ｔの構成部材の一部を撤去して、仮設部材Ｔ１、Ｔ２、Ｔ３内の空間を拡げる鉄塔の塔体内空間拡幅工程（図６（ａ）、図３１参照））
次に、図３１に示すように、塔体内空間に新設鉄塔Ｎを組み上げる際に既設鉄塔Ｔの構成部材が干渉して障害となる範囲（下側）において、上段の位置Ａ、中段の位置Ｂ、下段の位置Ｃに取り付けられているそれぞれの仮設部材Ｔ１、Ｔ２、Ｔ３において、仮設部材Ｔ１、Ｔ２、Ｔ３の内部に存在している腹材２等の既設鉄塔Ｔの構成部材の一部を撤去する。
【０１４３】
具体的には、上段の位置Ａに取り付けられている仮設部材Ｔ１において、図１４（ａ）に示す切断位置において、仮設部材Ｔ１の内部に存在している腹材２（水平材２Ｃ・２Ｄ、斜材２Ｅ）を鋸状の工具を用いて切断し、図１４（ｂ）に示すように、腹材２（水平材２Ｃ・２Ｄ、斜材２Ｅ）を撤去する。
【０１４４】
既設鉄塔Ｔにおいては、２本の水平材２Ｃの間に中間接続プレート５を配置している。また、この中間接続プレート５には、仮設部材Ｔ１を構成する上下一対の長尺な固定杆２６の先端部を取り付けている。腹材２（水平材２Ｃ・２Ｄ、斜材２Ｅ）の切断位置は、水平材２Ｃ・２Ｄ、斜材２Ｅにおける、固定杆２６との交差部分である。
【０１４５】
また、中段の位置Ｂに取り付けられている仮設部材Ｔ２において、図２２（ａ）に示す切断位置において、仮設部材Ｔ２の内部に存在している腹材２（水平材２Ｃ・２Ｄ、斜材２Ｅ）を鋸状の工具を用いて切断し、図２２（ｂ）に示すように、腹材２（水平材２Ｃ・２Ｄ、斜材２Ｅ）を撤去する。
【０１４６】
この腹材２（水平材２Ｃ・２Ｄ、斜材２Ｅ）の切断位置は、水平材２Ｃ・２Ｄ、斜材２Ｅにおける、固定杆２６との交差部分である。
【０１４７】
さらに、既設鉄塔Ｔにおいて、下段の位置Ｃに取り付けられている仮設部材Ｔ３の内部や下方に、障害となる腹材２（水平材２Ｃ・２Ｄ、斜材２Ｅ）が存在しているときは、これも撤去する。
【０１４８】
そして、図６（ａ）・図３１に示すように、それぞれの仮設部材Ｔ１、Ｔ２、Ｔ３の内部において鉄塔の塔体内空間拡幅を拡げ、新設鉄塔Ｎを組み上げる際に障害となる部材が存在しないようにする。
【０１４９】
即ち、上段の位置Ａ・中段の位置Ｂにそれぞれ取り付けられている２基の仮設部材Ｔ１、Ｔ２は、中央水平材２１の中央の縦材２２からＶ字状に拡がるように延設した上下一対の内部水平材２４と、内部水平材２４に固定した上下一対の長尺な固定杆２６により、仮設部材Ｔ１、Ｔ２の内周縁を構成し、この仮設部材Ｔ１、Ｔ２の内周縁は、既設鉄塔Ｔの塔体内空間を、既設鉄塔Ｔの正面側方向と背面側方向に向けて略円環状に拡げている。
【０１５０】
また、下段の位置Ｃに取り付けられている２基の仮設部材Ｔ３は、２基の仮設部材Ｔ３は、中央支持部４０が存在する固定杆４１の基端部が、側方（鉄塔から離れる方向）に向けて突出し、固定杆４１の先端部側が反対方向（鉄塔に近づく方向）を向くように延設されている状態で、内側固定板４３に固定されている各固定杆４１により、仮設部材Ｔ３の内周縁を構成し、この仮設部材Ｔ３の内周縁を構成する各固定杆４１は、中央支持部４０の内側固定板４３が側方（鉄塔から離れる方向）に向けて突出して、これを頂点とする角錐の一辺を形成するように各固定杆４１が配置されていることから、既設鉄塔Ｔの塔体内空間を、既設鉄塔Ｔの正面側方向と背面側方向に向けて略角環状に拡げている。
【０１５１】
そして、図３１に示すように、鉄塔の塔体内空間を拡げた状態において、仮設部材Ｔ１、Ｔ２、Ｔ３の内部に存在している腹材２等の既設鉄塔Ｔの構成部材の一部を撤去して、新設鉄塔Ｎを組み上げる際に障害となる部材が存在しないようにするのである。
【０１５２】
（６．拡幅した鉄塔の塔体内空間において、新設鉄塔Ｎを組み上げる新設鉄塔Ｎの組み上げ工程（図７・３（ａ）参照））
次に、図７に示すように、１６トンクレーンやクライミングクレーン等の起重機Ｓを使用して、複数の単柱ユニットＵを個別に吊り上げ、拡幅した鉄塔の塔体内空間に、個々の単柱ユニットＵを順次積み重ねて行く。
【０１５３】
そして、３（ａ）に示すように、拡幅した鉄塔の塔体内空間に、充分な高さを備えた新設鉄塔Ｎを組み上げるのである。
【０１５４】
（７．仮設部材Ｔ１が支持している架渉線（架空送電線Ｅ・架空地線）を新設鉄塔Ｎに移設する架渉線（架空送電線Ｅ・架空地線）の再移設工程）
最後に、既設鉄塔Ｔの仮設部材Ｔ１が支持している架空送電線Ｅ・架空地線等の架渉線を、新設鉄塔Ｎに移設して作業を終える。
【０１５５】
尚、既設鉄塔Ｔは、その後、仮設部材Ｔ１、Ｔ２、Ｔ３を取り外してから、構成部材の全体を撤去する。この取り外した仮設部材Ｔ１、Ｔ２、Ｔ３は、他の既設鉄塔Ｔを建て替える際に再利用する。また、撤去した既設鉄塔Ｔの構成部材は、新たな仮設部材Ｔ１、Ｔ２、Ｔ３を作成する部材として利用する。
【産業上の利用可能性】
【０１５６】
本発明は、架空送電線を支持する既設鉄塔を建て替える際に採用される他に、種々の既設鉄塔を建て替えための工法として、幅広く利用することができる。
【符号の説明】
【０１５７】
Ｔ…既設鉄塔
Ｔ１…仮設部材
Ｔ２…仮設部材
Ｔ３…仮設部材
Ａ…上段の位置
Ｂ…中段の位置
Ｃ…下段の位置
Ｎ…新設鉄塔
Ｅ…架空送電線
Ｐ…接続プレート
Ｓ…起重機
Ｕ…単柱ユニット
１…主柱材
Ｈ１…孔
２…腹材
２Ａ…水平材
２Ｂ…水平材
２Ｃ…水平材
２Ｄ…水平材
２Ｅ…斜材
Ｈ２…孔
３…腕金部
Ｈ３…孔
４…接続プレート
Ｈ４…孔
５…中間接続プレート
Ｈ５…孔
６…腕金支材
Ｈ６…孔
７…腕金吊材
８…梁材
９…第一水平材
Ｈ９…孔
１０…枠部
１１…斜材
１２…第二水平材
１５…接続プレート
１５Ｂ…連設している部分
１５ＢＨ…孔
１５Ａ…接続プレートに当接する部分
１５ＡＨ…孔
１６…接続プレート
１６Ｂ…連設している部分
１６ＢＨ…孔
１６Ａ…接続プレートに当接する部分
１６ＡＨ…孔
２１…中央水平材
２２…縦材
２３…斜材
２４…側部水平材
Ｈ２４…孔
２５…内部水平材
Ｈ２５…孔
２６…長尺な固定杆
Ｈ２６…孔
２７…短尺な固定杆
Ｈ２７…孔
３０…補強用梁材
３１…棒体
３２…固定板
Ｈ３２…孔
３３…補強杆
４０…中央支持部
４１…固定杆
Ｈ４１…孔
４２…外側固定板
４３…内側固定板
４４…接続片
４５…補強材
【図１】
0005688827.tif 000002
【図２】
0005688827.tif 000003
【図３】
0005688827.tif 000004
【図４】
0005688827.tif 000005
【図５】
0005688827.tif 000006
【図６】
0005688827.tif 000007
【図７】
0005688827.tif 000008
【図８】
0005688827.tif 000009
【図９】
0005688827.tif 000010
【図１０】
0005688827.tif 000011
【図１１】
0005688827.tif 000012
【図１２】
0005688827.tif 000013
【図１３】
0005688827.tif 000014
【図１４】
0005688827.tif 000015
【図１５】
0005688827.tif 000016
【図１６】
0005688827.tif 000017
【図１７】
0005688827.tif 000018
【図１８】
0005688827.tif 000019
【図１９】
0005688827.tif 000020
【図２０】
0005688827.tif 000021
【図２１】
0005688827.tif 000022
【図２２】
0005688827.tif 000023
【図２３】
0005688827.tif 000024
【図２４】
0005688827.tif 000025
【図２５】
0005688827.tif 000026
【図２６】
0005688827.tif 000027
【図２７】
0005688827.tif 000028
【図２８】
0005688827.tif 000029
【図２９】
0005688827.tif 000030
【図３０】
0005688827.tif 000031
【図３１】
0005688827.tif 000032